(57)【要約】      （修正有）【課題】水道用メーターボックスコンクリートベースの両側にノックアウト部を設けて、管路の設置がしやすいように改善し、なおベースの積み重ねにより自由位置でのノックアウト抜きにより管路の高さ位置が得られるコンクリートベースを提供する。【解決手段】メーターボックスとコンクリートベースが組込みセットで水道工事等で設置されるのが一般的である。コンクリートベースにノックアウトを設け、ハンマー等でノックアウト部を打ちたたきノックアウトを除去して管路を通す有効ベースが得られることになる。コンクリートベースの積み重ねにより、設置場所により有効且つ自由に管路設定が得られる。【選択図】図１
0003160132.tif 000002
【実用新案登録請求の範囲】
【請求項１】
（１）一般に設置される水道用メータボックスに種々の振動や不測の荷重等により沈下しないように下にコンクリートベースを設けて、メータの破損の防止と、ベースの両側にノックアウト部を設け管路の数や管路の設置がしやすいように改善し、且つ高さを必要とする場合等のベースの積み重ねと、ノックアウトを抜くことにより配管の高さが自由に得られることにある。
（２）建設、土木等の散水栓、ガス等のバルブ用ボックス、又電気等の地中ケーブル接続管のボックスの設置によりその安全性と利用価値が高められることにある。
【考案の詳細な説明】
【技術分野】
【０００１】  本考案は水道用メータボックスのコンクリートベースにノックアウト部を設け、管路設計に有効に使用されるベース。
【背景技術】
【０００２】  従来のメータボックスは、既に十数年が経過してノックアウト部がありません。そのため管路は決められたメータボックスの下部の管路用穴のみでベースにのせられている状態で管路の位置の変更が自由にできないのが現状である。
【考案の開示】
【考案が解決しようとする課題】
【０００３】  従来のコンクリートベースでは管路の増設又は位置変更が簡単に工事ができなくて、大幅な改良工事が必要となる問題点がある。
【課題を解決するための手段】
【０００４】  従来のコンクリートベースの形状を両側にノックアウト部を設けて、管路の設置が容易となるよう今までの欠点を解決しようとするものである。
【考案の効果】
【０００５】  上述の如く、コンクリートベースのノックアウト部を設けることにより、一段式又は他数段積み重ねにより、その管路の高さが自由に設定でき、且つ管路のバイパス等も容易になる。
【考案を実施するための形態】
【０００６】  コンクリートベースでのノックアウト方式により、自由位置での高さで管路工事が可能となり、不要の工事を必要とせずに管路設計が自由に得られる特性が得られる。
【実施例】
【０００７】  以下添付図面に従って一実施例を説明すると、１は鋳鉄製のメータボックス、２は鋳鉄製点検蓋、３は鋳鉄製コンクリートベース、４はハンマー等でたたいて抜かれたノックアウト品、ノックアウトされたコンクリートベースとメータボックスの標準組み合わせは管路の上下が大幅に自由が得られ、且つ多数積み重ねで管路の高さが自由に得られることは工事の難易度が大幅に単純化されるのを重視したものである。
【産業上の利用可能性】
【０００８】  本考案は今後、一般土木、上下水道、ガス、電気等の建設土木器材として多方面に有効に利用され、工事の段取りも軽減化されることになる。
【図面の簡単な説明】
【０００９】
【図１】  標準組立平面図
【図２】  標準組立正面図
【図３】  標準組立側面図
【図４】  コンクリートベース平面図
【図５】  コンクリートベース正面図
【図６】  コンクリートベース側面図
【図７】  多段式設置側図
【符号の説明】
【００１０】１．メータボックス
２．点検蓋
３．コンクリートベース
４．ノックアウト品
【図１】
0003160132.tif 000003
【図２】
0003160132.tif 000004
【図３】
0003160132.tif 000005
【図４】
0003160132.tif 000006
【図５】
0003160132.tif 000007
【図６】
0003160132.tif 000008
【図７】
0003160132.tif 000009
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
一般に、水道用としてはメーターボックスと点検蓋が一体として設置されてバルブや計器の保護に供されていることにあるが。
（１）これが種々の振動や、不測の荷重等によりメーターボックスが沈下しないように、メーターボックス下部に新たにメーターボックス用コンクリートベースを設けて、バルブや計器等の破損の防止とメーターボックス用コンクリートベースの両側にノックアウト部を設け、管路の追加設置が容易となるよう。
（２）かつ、配管の高さを必要とする場合等はメーターボックス用コンクリートベースを多段積み重ねて必要とする部分のノックアウトを抜くことにより、配管の高さが自由に得られることに有り、
（３）建設、土木等の散水、ガス管等のバルブ用として、又電気等の地中ケーブル接続管の保護としてのメーターボックス用コンクリートベースの設置により、その安全性と利用価値が得られることからなり、
メーターボックスの使用価値が大きくなり、その特徴を有するメーターボックス用コンクリートベースである。
【手続補正書】
【提出日】平成21年11月27日(2009.11.27)
【手続補正１】
【補正対象書類名】実用新案登録請求の範囲
【補正対象項目名】全文
【補正方法】変更
【補正の内容】
【実用新案登録請求の範囲】
【請求項１】
水道用としてはメーターボックスと点検蓋が一体として地中に設置されてバルブや計器の保護に供されているが
（１）これが種々の振動や、不測の荷重等によりメーターボックスが沈下または破損なきよう、メ−タ−ボックス下部に新たにメ−タ−ボックス用コンクリ−トベ−スなる物を設けてバルブや計器等の破損防止と保護を目的とし
（２）配管高さの追加を必要とする場合等は、メーターボックス用コンクリートベースを多段積み重ね、必要とする部分のノックアウト品を抜くことにより配管の高さが自由に得られることに有り
（３）建設土木の散水、ガス管用バルブ、電気等の地中ケーブル接続管の保護としてのメータ−ボックス用コンクリートベースの設置により、その安全性と利用価値が得られることになり
以上から地中埋設機器の保護安全性から、その特徴を有するメーターボックス用コンクリートベ−ス。
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
水道用としてはメーターボックスと点検蓋が一体として地中に設置されてバルブや計器の保護に供されているが
（１）これが種々の振動や、不測の荷重等によりメーターボックスが沈下または破損なきよう、メ−タ−ボックス下部に新たにメ−タ−ボックス用コンクリ−トベ−スなる物を設けてバルブや計器等の破損防止と保護を目的とし
（２）配管高さの追加を必要とする場合等は、メーターボックス用コンクリートベースを多段積み重ね、必要とする部分のノックアウト品を抜くことにより配管の高さが自由に得られることに有り
（３）建設土木の散水、ガス管用バルブ、電気等の地中ケーブル接続管の保護としてのメータ−ボックス用コンクリートベースの設置により、その安全性と利用価値が得られることになり
以上から地中埋設機器の保護安全性から、両側にノックアウト部が設けられるとともに、多段積み重ね可能な形状を有することを特徴とするメ−タ−ボックス用コンクリ−トベ−ス。